(57)【要約】      （修正有）【課題】粘着層を備えたシール類の使用を可能な限り削減し、清潔感のある梱包形態を備える包装袋及びその包装袋の作製支援システムを提供する。【解決手段】物品の輸送の際に用いられる梱包袋の外装面に、少なくとも、荷主情報、取扱商品に関する告知情報、物品の輸送に用いる固有情報、輸送業者情報のそれぞれの表示が直接印刷したことを特徴とするものを採用する。また、梱包袋作製支援システムとして、当該袋作製を依頼する依頼者側端末４２と、前記依頼者の要請を受ける作製者側端末４３と、これらと通信ネットワークを介し接続する梱包袋作製支援装置４１とからなり、前記梱包袋作製支援装置は、作製依頼情報を受信する作製依頼情報受信手段と、作製に関する情報を記憶する梱包袋作製情報記憶手段と、前記梱包袋の作製の作製指示情報を作製者側端末に送信する作製情報送信手段とを備える。【選択図】図６
2007137511.tif 000002
【特許請求の範囲】
【請求項１】
物品の輸送の際に用いられる梱包袋であって、
その外装面に、少なくとも、荷主情報、荷主の取扱商品に関する告知情報、物品の輸送時に用いる固有の指定情報、輸送業者情報のそれぞれの表示が直接印刷されたことを特徴とする梱包袋。
【請求項２】
物品の輸送の際に用いられる梱包袋の作製を支援する梱包袋作製支援システムであって、
前記梱包袋の作製を依頼する依頼者側に備える依頼者側端末と、
前記依頼者の依頼に基づく梱包材を作製する作製者側に備える作製者側端末と、
前記依頼者側端末および作製者側端末と通信ネットワークを介して接続され、前記梱包材の作製を支援する梱包袋作製支援装置とからなり、
前記梱包袋作製支援装置には、前記依頼者側端末から梱包袋の作製を依頼する作製依頼情報を受信する作製依頼情報受信手段と、前記梱包袋の作製に関する情報を記憶する梱包袋作製情報記憶手段と、前記梱包袋の作製を支持する作製指示情報を作製者側端末に送信する作製情報送信手段と、を備えることを特徴とする梱包袋作製支援システム。
【請求項３】
物品の輸送の際に用いられる梱包袋の作製を支援する梱包袋作製支援方法であって、
前記梱包袋の作製を依頼する依頼者側端末から梱包袋作製支援装置に、通信ネットワークを介して、梱包袋作製依頼情報を送信する梱包袋作製依頼ステップと、
前記梱包袋作製依頼情報に基づいた梱包袋作製情報を記憶する梱包袋作製情報記憶ステップと、
記憶された梱包袋作製情報を、前記梱包袋作製支援装置から、梱包袋を作製する作製者側端末に送信する梱包袋作製指示ステップと含むことを特徴とする梱包袋作製支援方法。
【発明の詳細な説明】
【技術分野】
【０００１】
物品を輸送する際にその物品を梱包する梱包袋と、この梱包袋の作製を支援する梱包袋作製支援システムおよび梱包袋作製支援方法に関する。
【背景技術】
【０００２】
現在、贈答品の配送や通信販売において、小包配送が欠かせないサービスとなっている。配送される品物は、発送元となる店舗等の販売業者において、受注に応じて品物を梱包し、配送業者に依頼して品物を送付している。このような贈答品や通信販売等の購入品が小形の場合や少量の場合、のし等が付された贈答品の場合は、当該品物を袋に入れて梱包することがある。この梱包用の袋は防水性や強度があり、配送中の様々な状態から荷物を守る機能を備えているもので、配送業者が供給する場合が多い。
【０００３】
そして、梱包された小包には、シールで付着させる伝票に配送先や依頼主の住所等の情報と、品物を供給する販売業者等の情報の他に、希望配送時間帯や配送中の保存状態等の梱包された商品の配送上の注意事項が付記されている。
【０００４】
これらの情報の多くは、粘着層を備えたシールに印刷等され、このシールを梱包袋に貼り付けして表示されていた。
【０００５】
【特許文献１】特開２００１−３４１７２６号公報
【発明の開示】
【発明が解決しようとする課題】
【０００６】
しかしながら、シールの貼り合わせられた梱包袋は、当該シールの縁端部が捲れ、隣の荷物に張り付いたりして、これを引き剥がす際に梱包袋に破れが生じることもある。また、当該シールの縁端部が捲れると、その粘着層部分に埃が付着するなどして、梱包形態が汚れて見え、食品を梱包している場合の心象は悪くなり、特に好ましくない。
【０００７】
また、粘着層を備えたシール類を多用した梱包袋は、粘着成分が含まれているためリサイクルが困難であり、資源の無駄遣いにもなる。
【０００８】
一方で、各販売業者は、同種の品物を複数の発送先に送付しており、配送上の注意事項は共通している場合が多いので、この点でより省力化することが求められている。また、インターネット販売等に代表される通信販売が多様化する今日では、販売業者は、より多くの顧客を獲得すべく、競合他社との商品、サービスの差別化を図る努力が必要となる。
【０００９】
以上のことから、粘着層を備えたシール類の使用を可能な限り削減し、清潔感のある梱包形態を達成することが求められ、同時に宣伝広告機能等を兼ね備えた梱包袋に対する要求が存在した。
【課題を解決するための手段】
【００１０】
そこで、発送元の事業者に固有の情報を、梱包袋の外装部分に表示することにより、一の事業者から発送される物品に共通する配送条件や商品案内に関するシールを貼り付けたり、記載したりする手間を省することに想到した。
【００１１】
本件発明に係る梱包袋：  本件発明に係る梱包袋は、物品の輸送の際に用いられる梱包袋であって、その外装面に、少なくとも、荷主情報、荷主の取扱商品に関する告知情報、物品の輸送時に用いる固有の指定情報、輸送業者情報のそれぞれの表示が直接印刷されたことを特徴とするものである。
【００１２】
本件発明に係る梱包袋作製支援システム：  本件発明に係る梱包袋作製支援システムは、前記梱包袋の作製を依頼する依頼者側に備える依頼者側端末と、前記依頼者の依頼に基づく梱包袋を作製する作製者側に備える作製者側端末と、前記依頼者側端末および作製者側端末と通信ネットワークを介して接続され、前記梱包材の作製を支援する梱包袋作製支援装置とからなり、前記梱包袋作製支援装置には、前記依頼者側端末から梱包袋の作製を依頼する作製依頼情報を受信する作製依頼情報受信手段と、前記梱包袋の作製に関する情報を記憶する梱包袋作製情報記憶手段と、前記梱包袋の作製を支持する作製指示情報を作製者側端末に送信する作製情報送信手段と、を備えることを特徴とするものである。
【００１３】
即ち、梱包袋の作製を依頼する依頼者に備える依頼者側端末からインターネット等のネットワークを介して送信された梱包袋作製依頼情報を梱包袋作製支援装置が受信し、そして、梱包袋作製支援装置は、受信した梱包袋作製依頼情報に応じて梱包袋作製指示情報を梱包袋作製者側端末に送信する。これにより、ネットワークを介して容易に事業者独自の梱包袋が作製できる。
【００１４】
本件発明に係る梱包袋作製支援方法：  本件発明に係る梱包袋作製支援システムによれば、発送元の事業者が備える依頼者側端末から梱包袋作製支援装置に、インターネット等のネットワークを介して、梱包袋作製依頼情報を送信する梱包袋作製依頼ステップと、前記梱包袋作製依頼情報を受信した梱包袋作製支援装置から、梱包袋を作製する作製者側端末に作製指示情報を送信する作製指示ステップとを経ることにより、依頼者は依頼者独自の梱包袋の作製を容易に依頼することができる。また、梱包袋の作製者は、梱包袋の作製に際して、受注機会を得ることができるとともに、前記作製情報を容易に提供でき、受注コストを抑えることができる。
【発明の効果】
【００１５】
各事業者は、同種の品物を複数の発送先に送付しており、配送上の注意事項や梱包する物品に関する情報は共通している場合が多いので、発送元の事業者に固有の情報を、梱包袋の外装部分に表示することにより、共通する配送条件に関するシールを付着させたり、記載したりする手間を省くことができ、梱包袋自体の資源ゴミとしてのリサイクルが容易となる。また、シール類の使用量が減れば、シール類の台紙のごみも生じない。
【００１６】
また、梱包袋の外装部分に表示する情報が、当該事業者の商標等である場合、この情報を付した梱包袋を使って配送すれば、当該荷物の出所が一目瞭然となる。これにより、送付先で小包がどのようなものであるか判別し易いのはもちろんのこと、配送中においても当該小包が他の貨物と判別しやすい。さらに、配送中の各所で、当該事業者の商標等が広告される効果も期待できる。
【００１７】
本発明にかかる梱包袋作製支援システムによれば、依頼者は依頼者独自の梱包袋の作製を容易に依頼することができる。この結果、小規模な小売店や、インターネットを利用した仮想店舗のみでの通信販売を行っている販売者が、独自の梱包袋を利用して、自己の扱う物品を配送することにより、他の事業者との商品およびサービスの差別化を図ることができると同時に、物流過程において、このような梱包袋が人目に付くことにより、広告効果も期待できる。一方、梱包袋の作製者は、梱包袋の作製に際して、受注機会を得ることができるとともに、前記作製情報を容易に提供でき、受注コストを抑えることができる。また、配送業者がこのような梱包袋の作製機会を提供すれば、本発明の梱包袋を利用した事業者からの荷物の配送を受任できるので、安定した配送件数を得ることができる。
【発明を実施するための最良の形態】
【００１８】
本件発明に係る梱包袋の形態：  本件発明に係る梱包袋は、物品の輸送の際に用いられる梱包袋であって、その外装面に、少なくとも、荷主情報、荷主の取扱商品に関する告知情報、物品の輸送時に用いる固有の指定情報、輸送業者情報のそれぞれの表示が直接印刷されたことを特徴とするものである。そして、ここで言う荷主情報、荷主の取扱商品に関する告知情報、物品の輸送時に用いる固有の指定情報、輸送業者情報等は例示的に列挙したものであり、この他の必要となる表示を梱包袋の外装面に直接印刷することも可能である。
【００１９】
ここで言う荷主情報とは、発送元の事業者の商標、商号、住所、店舗地図等である。そして、梱包袋の外装部分に表示する情報が、発送元の事業者の商標、商号等である場合、この情報を付した袋を使って配送すれば、当該荷物の出所が一目瞭然となる。これにより、送付先で小包がどのようなものであるか判り易いのはもちろんのこと、配送中においても小包が判別しやすい。さらに、配送中の各所で荷物が人目に触れるので、当該事業者の商標等が広告される効果もある。また、ここで言う荷主情報とは、内包物以外の事業者の商標、商号、住所、店舗地図等を含む場合もある。
【００２０】
そして、ここで言う荷主の取扱商品に関する告知情報とは、当該梱包袋に納められた商品の表示、荷主の取扱商品の一覧、食品にあっては当該内包食品の調理方法や保存方法、その他広告宣伝等である。また、ここで言う告知情報とは、内包物以外の事業者の商品の宣伝広告、事業宣伝広告等を含む場合もある。
【００２１】
そして、物品の輸送時に用いる固有の指定情報とは、一般的に梱包用袋、梱包箱等の表面に、粘着層を備えたシールとして貼り合わせられる「われもの注意」、「冷凍」、「冷蔵」、「ビンもの」等の表示のことであり、主に輸送中の取扱に関する注意事項である。
【００２２】
本件発明に係る梱包袋作製支援システム及び梱包袋作製支援方法の形態：  本件発明に係る梱包袋作製支援システムによれば、梱包袋の作製を依頼する依頼者に備える依頼者側端末からインターネット等のネットワークを介して送信された梱包袋作製依頼情報を、梱包袋の注文を受け作製する梱包袋作成者の梱包袋作製支援装置が受信する。この梱包袋作製支援装置とは、当該梱包袋作製依頼情報を収容し処理可能なソフトウェアをインストールしたコンピュータ、同様のシステムソフトを備えた専用端末であっても構わない。
【００２３】
また、ここで言う梱包袋の作製を依頼する依頼者とは、輸送する商品を生産、製造する事業者（荷主）のみ成らず、その輸送を担当する運送業者をも含む場合もある。即ち、梱包袋に、荷主側の情報と運送業者の情報とを梱包袋に同時に掲載しようとする場合には、双方からの情報を収集して、この情報の全てを梱包袋の外装面に配置するデザインを採用する必要がある。従って、梱包袋作製依頼情報とは、荷主側の掲載依頼情報と運送業者の掲載依頼情報との双方を含むため、これらの情報の全てが梱包袋作製支援装置に収容されることになる。
【００２４】
そして、この梱包袋作製支援装置は、受信した梱包袋作製依頼情報に応じて梱包袋作製指示情報を基に、梱包袋のデザインを行い、依頼者側の梱包袋作製依頼者側端末に送信する。これにより、ネットワークを介して容易に依頼者独自の梱包袋が作製できる。
【００２５】
なお、この梱包袋作製支援システムの中での情報のやりとりは、梱包袋のデザインの適否等の検討、輸送業者の表示を行う場合の輸送業者の認証等の必要性もあるために、複数回の相互の情報送信があるのが通常である。
【００２６】
以上の本件発明に係る梱包袋作製支援システムで行う情報のやりとりを方法（手段）として捉えれば、発送元の事業者が備える依頼者側端末から梱包袋作製支援装置に、インターネット等のネットワークを介して、梱包袋作製依頼情報を送信する梱包袋作製依頼ステップと、前記梱包袋作製依頼情報を受信した梱包袋作製支援装置から、梱包袋を作製する作製者側端末に作製指示情報を送信し、デザイン化する作製ステップとを経て、依頼者は依頼者独自の梱包袋の作製を容易に依頼することができる。このような梱包袋作製支援方法を採用することで、梱包袋の作製者自体は、梱包袋の受注機会が増加し、依頼者は前記作製情報を容易に提供でき、受注コスト及び労力の削減が可能となる。
【００２７】
従来、運送業者が梱包袋を作製する場合には、専ら自らの運送業者の表示のみを行った梱包袋を自らの費用で作成するのが通常であり、且つ、多くの場合、その梱包袋は無償で顧客に配布されるのが通常であり、梱包袋に関する作製費用は運送業者の完全なる負担になってきた。しかしながら、上述のような梱包袋作製支援システムを構築することで、以下に述べるような新たなビジネスモデルの構築が可能である。即ち、梱包袋作成者に掲載情報を発信するのが輸送業者だけでなく、自らの宣伝広告等を兼ねた情報を送信する事業者等が存在するのであるから、梱包袋の製造にあたって、その製造費用を運送業者と事業者等との間で折半することも可能であり、運送業者の梱包袋製造費用の大幅な削減が可能となる。
【００２８】
以上に述べてきた本発明の梱包袋作製支援システム又は梱包袋作製支援方法における通信ネットワークはインターネットやＬＡＮ（Ｌｏｃａｌ  Ａｒｅａ  Ｎｅｔｗｏｒｋ）等、通信回線を利用した通信ネットワークを介して梱包袋作製支援装置と、依頼者側端末あるいは作製者側端末とが接続可能であれば可能であり顕著な設備投資を要するものではない。
【実施例１】
【００２９】
最初に、本発明にかかる梱包袋について、実施例を提示して説明する。図１は本発明の実施例１における梱包袋１の正面２が視認できるようにした斜視図であり、図２は図１の梱包袋１の裏面２１の斜視図（実施品の写真）である。そして、図１及び図２から分かるように、梱包袋１の開口部３を閉じる蓋部４の内側には接着部材を備えており、蓋部外側から粘着テープ等を貼らなくても、開口部３を封じることができる。なお、この実施例では、蓋部４を裏面２１側に折り曲げて接着した例を示している。開口部３の蓋部４を閉じた状態で、正面２の内に配送に関する様々な情報が記載された運送業者指定の配送伝票５が貼付されている。なお、当該配送伝票を蓋部と正面とに掛かるようにして、張り合わせれば、より完全な開口部の接着が出来る。
【００３０】
そして、この実施形態では、配送を行う者が視認しやすいように、正面２の上部及び裏面にある蓋部４の上に、梱包された物品が割れるものであることを示すわれもの表示部６と冷蔵保管が望まれることを示す冷蔵表示部７が印刷されている。なお、これらの表示を配送伝票５の下方の正面２の中に設けても良い。更に、正面２の中には、この梱包袋１で物品を梱包して発送する発送元の事業者に関する商号と連絡先（事業者情報Ａ）、この小包を配送する配送業者の社名等（運送者情報Ｂ）が印刷されている。
【００３１】
続いて、図２に示す梱包袋の裏面２１には、発送元の事業者の紹介文表示部２２と、この事業者が取り扱う商品に関する広告表示部２３が印刷されているものとした。
【００３２】
実施例１の梱包袋１では、物品の発送元に関する情報が梱包袋１に印刷されているので、梱包された物品の発送元を一目瞭然に知ることができる。また、われもの表示部６と冷蔵表示部７とにより配送される物品に関する配送上の留意事項が明瞭に表示され、従来のようにシールを貼付する場合に比べて手間がかからず、シールの台紙のごみも生じない。
【００３３】
なお、実施例１に類似の形態を持つ梱包袋であり、試作製造した梱包袋の正面と裏面との写真を図３及び図４に示す。
【実施例２】
【００３４】
図３は本発明の実施例２の梱包袋３０の正面３１の斜視図である。実施例１と同様に、開口部３３を閉じる蓋部３４の内側には接着部材を備えており、蓋部外側から粘着テープ等を貼らなくても、開口部３３を封じることができる。開口部３３を蓋部３４で閉じた状態で、蓋部３４の上面と正面３１に掛かるようにして、配送に関する様々な情報が記載された配送伝票５が貼付されている。
【００３５】
そして、配送伝票５が貼付された正面３１の下方には、食べ物である梱包物の調理法や、注意事項、内容物表示が印刷されている。実施例２では、梱包袋全体に色と模様が付されており、梱包されている物品のイメージや、発送元の販売者の差別化の効果がある。
【００３６】
なお、実施例１及び実施例２に類似の形態を持つ梱包袋であり、試作製造した梱包袋の正面と裏面との写真を図４及び図５に示す。
【実施例３】
【００３７】
次に、本発明の梱包袋作製支援システムおよび梱包袋作製支援方法について説明する。
図６は実施例３の梱包袋作製支援システムの全体を示すブロック図である。実施例３の梱包袋作製支援システムは、梱包袋作製支援装置４１と、梱包袋の作製を依頼する依頼者側端末４２と、梱包袋を作製する作製者側が備える作製者側端末４３と、通信ネットワーク４４とで構成され、依頼者側端末４２と、作製者側端末４３と、梱包袋作製支援装置４１とは、インターネットを用いた通信ネットワーク４４で接続可能となっている。
【００３８】
梱包袋作製支援装置４１は、図７に示すように、伝送制御部と、制御装置と、入力制御手段と、記録装置とを備えるサーバである。
【００３９】
伝送制御部は、モデム、ターミナルアダプタ、あるいはルーター等によって構成され、通信回線を介して梱包袋作製支援装置４１との間で各種情報や情報取得請求の信号の送受信を行う。制御装置は、ＣＰＵやＲＡＭ等プログラム処理に必要な機能を備えている。
【００４０】
入力制御手段は、キーボードの他、マウス、タッチペン等のポインティングデバイスを備えており、各種情報の入力や照合要求項目等の入力に用いる。
【００４１】
記憶装置は、オペレーティングシステム（ＯＳ）等の制御プログラムの他に、各種アプリケーションソフトやデータ等が予め記憶されたハードディスク装置（記憶装置）と、梱包袋作製情報等のデータベースが記憶されたファイルサーバとからなる。ファイルサーバは、梱包袋作製支援装置に接続可能に設けられている。ハードディスク（記憶装置）には、サーバプログラム情報記憶部と、結果情報記憶部とが設けられており、結果情報記憶部には、ＣＰＵによる一部或いは全部の処理結果情報を、記録させるようになっている。ファイルサーバには、梱包袋作製依頼情報記憶部と、作製情報記憶部と、デザイン情報記憶部とが設けられている。
【００４２】
梱包袋作製依頼情報記憶部には、依頼者側端末から送信された依頼者の所在等の基本的な情報の他、梱包袋に印刷表示する商標や商号、商品案内等の情報が記録されている。梱包袋デザイン情報記憶部には、梱包袋に印刷可能なデザインに関する情報が記録されている。そして、作製情報記憶部には、既に受注した梱包袋のデザインに関する情報が記録されている。
【００４３】
上記梱包袋作製依頼情報記憶部と、デザイン情報記憶部と、作製情報記憶部とに記録された情報はプログラムの要求に応じて抽出され、梱包袋の作製に利用される。
【００４４】
次に、この梱包袋作製支援システムを用いた梱包袋作製支援方法について図８を示して説明する。まず、作製依頼情報ステップＳ１において、梱包袋の作製を依頼する依頼者が、梱包袋の作製を依頼する。ここでは、依頼者側端末４２から、梱包袋の作製を依頼する情報を送信する。
【００４５】
送信された梱包袋作製依頼情報を、梱包袋作製支援装置４１において受信する（ステップＳ２）と、ステップＳ３において、既に作製情報記憶部に記録されている梱包袋を追加作製する場合は、作製情報記憶部から該当する作製情報を抽出して送信する。新しいデザインの梱包袋の作製を依頼する場合は、依頼者情報記憶部に記憶されている依頼者の情報および作製情報記憶部を抽出して、梱包袋のデザインに関する情報を送信する。
【００４６】
ステップＳ４で作製情報あるいは新しいデザインに関する情報を受信した依頼者は、梱包袋のデザインを必要に応じて編集して決定し（ステップＳ５）、梱包袋のデザインと依頼する梱包袋の数に関する発注情報を、依頼者側端末４２で入力して送信する（ステップＳ６）。
【００４７】
ステップＳ６で依頼者側端末４２から送信された発注情報を、ステップＳ７において梱包袋作製支援装置４１が受信した発注情報を、作製情報記憶部に記憶し（ステップＳ８）、この発注情報を作製者側端末４３に送信する。
【００４８】
ステップＳ１０で梱包袋作製情報を受信した作製者側端末４３で梱包袋作製情報を確認した作製者は、梱包袋作製情報に応じたデザインおよび数量の梱包袋を作製し（ステップＳ１１）、作製した梱包袋を依頼者に納品する（ステップＳ１２）。
【００４９】
実施例３における梱包袋作製支援システムおよび梱包袋作製支援方法を用いれば、発送元の事業者に備える依頼者側端末からインターネットを通じて送信された梱包袋作製依頼情報を梱包袋作製支援装置が受信し、梱包袋作製支援装置から、梱包袋の作製に関する梱包袋作製情報を依頼者側端末に開示可能に送信される。そして、梱包袋作製情報に基づいて発送元の事業者が決定して依頼者側端末から送信された梱包袋のデザインや数量等の発注情報を梱包袋作製支援装置が受信し、梱包袋作製支援装置は、受信した前記発注情報に応じて梱包袋作製指示情報を梱包袋作製者側端末に送信する。これにより、ネットワークを介して容易に独自の梱包袋が作製できる。
【産業上の利用可能性】
【００５０】
本件発明に係る梱包袋は、単に粘着層を備えたシール類の使用を可能な限り削減し、美麗な包装形態を達成し、包装袋の資源ゴミとしてのリサイクルをより容易なものとしたことに止まらない。即ち、その掲載情報の内容から判断できるように、新たなビジネスモデルを創設できるものであり、輸送業者の負担を軽減し、荷主側には宣伝広告効果を全国に行き渡らせることの可能な利益を生み出す。
【００５１】
また、運送業者、配送業者及び荷主が本発明にかかる梱包袋作製支援方法および梱包袋作製支援システムを利用して供給すると、小規模事業者に各事業者独自のデザインの梱包袋を容易に提供できる。さらに、運送業者等は、小規模事業者からの荷物の配送の安定的な受注を望むこともできる。
【図面の簡単な説明】
【００５２】
【図１】本発明にかかる梱包袋の実施例１の斜視図である。
【図２】本発明にかかる梱包袋の実施例１の斜視図である。
【図３】本発明にかかる梱包袋の実施例２の斜視図である。
【図４】試作した梱包袋の正面を示した写真である。
【図５】試作した梱包袋の裏面を示した写真である。
【図６】本発明にかかる梱包袋作製支援システムの実施例３のブロック図である。
【図７】本発明にかかる梱包袋作製支援システムの実施例３における梱包袋作製支援装置の構成を示す図である。
【図８】本発明にかかる梱包袋作製支援方法の実施例３におけるフロー図である。
【符号の説明】
【００５３】
１，２１    梱包袋
２          正面
３，３３    開口部
４，３４    蓋部
５          配送伝票
６          われもの表示部
７          冷蔵表示部
２２        紹介文表示部
２３        広告表示部
４１        梱包袋作製支援装置
４２        依頼者側端末
４３        作製者側端末
Ａ          事業者情報（荷主情報）
Ｂ          運送者情報
【図１】
2007137511.tif 000003
【図２】
2007137511.tif 000004
【図３】
2007137511.tif 000005
【図６】
2007137511.tif 000006
【図７】
2007137511.tif 000007
【図８】
2007137511.tif 000008
【図４】
2007137511.tif 000009
【図５】
2007137511.tif 000010